(57)【要約】【構成】支持板部材にＣ字状弾性係止片部を設置した杖ホルダーである。【効果】支持板部材をトイレや受付デスク等の壁面の適宜位置に接着固定すれば、杖使用者は杖を前記Ｃ字状弾性係止片部に弾性的に着脱可能（嵌挿する場合および取り外す場合に弾性に抗する力が必要）に嵌挿することができる。この杖ホルダーを使用すれば、杖が床面に倒れたり落下したりすることはないため、従来のように、杖使用者は倒れた杖や落下した杖を拾う必要がないため、杖使用者は病院等の受付やトイレ等において安心して用を足すことができ、この結果、杖使用者の行動範囲は広がるとともに快適な生活を維持しやすいものである。【選択図】　　図１
2004057422.tif 000002
【特許請求の範囲】
【請求項１】
支持板部材にＣ字状弾性係止片部を設置したことを特徴とする杖ホルダー。
【請求項２】
請求項１の杖ホルダーにおいて、前記Ｃ字状弾性係止片部を前記支持板部材と一体形成したことを特徴とする杖ホルダー。
【請求項３】
請求項１又は請求項２の杖ホルダーにおいて、前記支持板部材を水平板部と垂直板部とを略直角状に連設し、この垂直板部に前記Ｃ字状弾性係止片部を設置したことを特徴とする杖ホルダー。
【請求項４】
請求項１又は請求項２の杖ホルダーにおいて、前記支持板部材を柔軟シートにしたことを特徴とする杖ホルダー。
【発明の詳細な説明】
【０００１】
【発明の属する技術分野】
この発明は杖ホルダーに関し、病院等の受付やトイレ等に設置され、杖使用者（杖に頼る片麻痺や高齢の人）が用を足すときにその杖を一時的に係止する際に使用するものである。
【０００２】
【従来の技術】
従来、病院等の受付やトイレ等において、杖使用者はその杖を壁等に立てかけたり、受付デスクに吊り掛けたりして用を足していた（特開２００２−６５４４４，実登録第３００８４５７　号）。
【０００３】
【発明が解決しようとする課題】
しかしながら、壁等に立てかけた場合には杖の上端が壁面を滑って床面に倒れやすく、又、受付デスクに吊り掛けた場合には杖の自重によって床面に落下しやすいものであった。そして、杖が床面に倒れた場合や落下した場合に、杖使用者は杖を拾う為に身体を屈めなければならず、特に、身体の弱い杖使用者にとっては極めて厳しい動作を余儀なくされるという不都合を有した。
【０００４】
【発明が解決しようとする課題】
【０００５】
この発明の課題はかかる不都合を解消することである。
【０００６】
【課題を解決するための手段】
上記課題を解消するために、この発明に係る杖ホルダーにおいては、支持板部材にＣ字状弾性係止片部を設置したため、
この支持板部材をトイレや受付デスク等の壁面の適宜位置に接着固定すれば、杖使用者は持っていた杖を前記Ｃ字状弾性係止片部に弾性的に着脱可能（嵌挿する場合および取り外す場合に弾性に抗する力が必要）に嵌挿することができる。
【０００７】
なお、前記Ｃ字状弾性係止片部を前記支持板部材と一体形成すれば、製造しやすいとともに前記Ｃ字状弾性係止片部と前記支持板部材との配置を一定化しやすいものである。
【０００８】
また、前記支持板部材を水平板部と垂直板部とを略直角状に連設し、この垂直板部に前記Ｃ字状弾性係止片部を設置すれば、受付デスク等の端縁角部に安定良く設置することができる。
【０００９】
また、前記支持板部材を柔軟シートにすれば、建造物の壁面や受付デスク等の端縁や曲面状であっても、前記支持板部材を隙間無く貼り付けることができるため、杖ホルダーを安定良く設置することができる。また、前記支持板部材を柔軟シートにすれば何人でも設置する場所に合わせて適宜形状に切断しやすく、この結果、その使用範囲は拡大する。
【００１０】
【発明の実施の態様】
図１はこの発明に係る杖ホルダーの第一実施例の斜視図、図２は同使用状態の斜視図、図３は第二実施例の斜視図、図３は第三実施例の斜視図である。
【００１１】
図１及び図２において、Ｈはこの発明に係る杖ホルダー、１０はこの杖ホルダーＨの支持板部材である。この支持板部材１０は、ポリプロピレン樹脂、アクリルファイバーレジン樹脂等製の剛性プラスチック板であり、この支持板部材１０を介して前記杖ホルダーＨはトイレの壁面等Ｗに接着剤，両面テープ，ネジ止め，アンカー等の通常の方法で取り付けられる。
【００１２】
２０はＣ字状弾性係止片部であり、前記支持板部材１０の略中央部に突出した状態で接着固定されている。このＣ字状弾性係止片部２０は弾性を有するゴム，プラスチック等によって形成され、断面がＣ字状をしている。その先端の開口部２１を介して杖Ｓを前記Ｃ字状弾性係止片部２０の内側に嵌挿したり、取り出したりする。この開口部２１の広さＢは使用する杖Ｓよりも狭いため、杖Ｓを嵌挿する場合および取り外す場合に開口端縁２２，２２　をその材料の弾性に抗して前記開口部２１の広さＢを広げなければならない。
【００１３】
なお、前記Ｃ字状弾性係止片部２０を前記支持板部材１０と一体形成すれば、製造しやすいとともに前記Ｃ字状弾性係止片部２０と前記支持板部材１０との配置を一定化しやすい。
【００１４】
図３は第二実施例を示したものであり、前記支持板部材１０を構成するにあたって、水平板部１１と垂直板部１２とを略直角状に連設したものである。この垂直板部１２の巾は前記Ｃ字状弾性係止片部２０の巾と略同じある。前記支持板部材１０をこのように形成すれば、受付デスク等の端縁角部等Ｄに安定良く設置することができる。
【００１５】
図４は第三実施例を示したものであり、前記支持板部材１０をラバー，合成樹脂等の柔軟なシート材によって形成したものである。このように、建造物の壁面Ｗや受付デスク等Ｄの端縁や曲面状であっても、前記支持板部材１０を隙間無く貼り付けることができる。前記支持板部材１０が柔軟シートであると何人でも設置する場所に合わせて適宜形状に切断しやすいものである。なお、この実施例における杖ホルダーＨは前記支持板部材１０が柔軟性を有するため前記Ｃ字状弾性係止片部２０と一体成形しやすいものである。
【００１６】
【発明の効果】
この発明に係る杖ホルダーは、支持板部材にＣ字状弾性係止片部を設置したため、この支持板部材をトイレや受付デスク等の壁面の適宜位置に接着固定すれば、杖使用者は杖を前記Ｃ字状弾性係止片部に弾性的に着脱可能（嵌挿する場合および取り外す場合に弾性に抗する力が必要）に嵌挿することができる。
【００１７】
よって、この杖ホルダーを使用すれば、杖が床面に倒れたり落下したりすることはないため、従来のように、杖使用者は倒れた杖や落下した杖を拾う必要がないため、杖使用者は病院等の受付やトイレ等において安心して用を足すことができ、この結果、杖使用者の行動範囲は広がるとともに快適な生活を維持しやすいものである。
【００１８】
なお、前記Ｃ字状弾性係止片部を前記支持板部材と一体形成すれば、製造しやすいとともに前記Ｃ字状弾性係止片部と前記支持板部材との配置を一定化しやすいものである。
【００１９】
また、前記支持板部材を水平板部と垂直板部とを略直角状に連設し、この垂直板部に前記Ｃ字状弾性係止片部を設置すれば、受付デスク等の端縁角部に安定良く設置することができる。
【００２０】
また、前記支持板部材を柔軟シートにすれば、建造物の壁面や受付デスク等の端縁や曲面状であっても、前記支持板部材を隙間無く貼り付けることができるため、杖ホルダーを安定良く設置することができる。また、前記支持板部材を柔軟シートにすれば何人でも設置する場所に合わせて適宜形状に切断しやすく、この結果、その使用範囲は拡大する。
【図面の簡単な説明】
【図１】この発明に係る杖ホルダーの第一実施例の斜視図である。
【図２】同使用状態の斜視図である。
【図３】第二実施例の斜視図である。
【図４】第三実施例の斜視図である。
【符号の説明】
Ｈ　…　杖ホルダー
１０　…　支持板部材
２０　…　Ｃ字状弾性係止片部
２１　…　水平板部
２２　…　垂直板部
【図１】
2004057422.tif 000003
【図２】
2004057422.tif 000004
【図３】
2004057422.tif 000005
【図４】
2004057422.tif 000006
【手続補正書】
【提出日】平成14年10月25日(2002.10.25)
【手続補正１】
【補正対象書類名】明細書
【補正対象項目名】図面の簡単な説明
【補正方法】変更
【補正の内容】
【図面の簡単な説明】
【図１】この発明に係る杖ホルダーの第一実施例の斜視図である。
【図２】同使用状態の斜視図である。
【図３】第二実施例の斜視図である。
【図４】第三実施例の斜視図である。
【符号の説明】
Ｈ　…　杖ホルダー
１０　…　支持板部材
２０　…　Ｃ字状弾性係止片部
２１　…　水平板部
２２　…　垂直板部